(57)【要約】【課題】  ポールに外力が作用しても、バランスウェイトの揺れを制限でき、確実に昇降できる照明装置を提供する。【解決手段】  ポール２０内部のバランスウェイト２３を昇降させることにより、昇降ワイヤ２８および電源ケーブル２２を移動させて、灯具３２をポール２０に沿って昇降させる。このとき、バランスウェイト２３の外周面に設けられているガイド部２６が、ポール２０内部に上端および下端が固定されたガイドワイヤ２４に沿って移動するので、常時のみならず、地震等の外力が作用した場合でも、バランスウェイト２３の揺れを制限できる。【選択図】  図１
2012009222.tif 000002
【特許請求の範囲】
【請求項１】
中空のポールと、
灯具を有するとともに前記ポールの外周面に沿って昇降可能な昇降部と、
前記ポールの内部に配策され、一端が前記ポールの上端部から外部に引き出されて前記昇降部に取り付けられる昇降ワイヤおよび電源ケーブルと、
前記ポールの内部に昇降可能に設けられ、前記昇降ワイヤの他端が接続されて前記昇降部を昇降させるバランスウェイトと、を有し、
前記ポール内部に、上端および下端が固定されたガイドワイヤを設けるとともに、
前記バランスウェイトの外周面に前記ガイドワイヤが挿通するガイド部を設けた照明装置。
【請求項２】
請求項１に記載の照明装置において、
前記ガイド部が、リングである照明装置。
【発明の詳細な説明】
【技術分野】
【０００１】
本発明は、光源を有する灯具がポールの外周面に沿って昇降可能な昇降式の照明装置に関するものである。
【背景技術】
【０００２】
従来より、灯具が昇降する昇降式の照明装置が知られている（例えば、特許文献１参照）。
図９に示すように、特許文献１に記載の照明装置１００では、中空のポール１０１の外側に沿って照明器具１０２が昇降部１０７を介して昇降可能に設けられている。ポール１０１の内部には吊り下げ索１０３が設けられており、巻き上げ機１０４によって巻き取られる主索１０３Ａと、この主索１０３Ａの上端に分岐金具１０５を介して接続された複数の分岐索１０３Ｂを有する。
【０００３】
各分岐策１０３Ｂは、ポール１０１の上端に設けられている滑車１０６に案内されてポール１０１の外部に導かれ、ポール１０１の外部で昇降部１０７に接続されている。
ポール１０１の内部には、地中の電源線（図示省略）に接続された電源ケーブル１０８が下方から上方に向けて配策されており、電源ケーブル１０８はポール１０１の上端に設けられた電源ケーブル用滑車１０９を介して外部に導かれて、照明器具１０２に接続されている。
【０００４】
また、ポール１０１の内部には、全長にわたってガイドロープ１１０が緊張状態で配策されており、このガイドロープ１１０で吊り下げ索１０３の昇降を案内する。
これにより、照明器具１０２を昇降させる際に、分岐策１０３Ｂの回り動きを防いで、分岐策１０３Ｂと電源ケーブル１０８との絡みや、分岐策１０３Ｂ同士の絡みを防止する。
【先行技術文献】
【特許文献】
【０００５】
【特許文献１】特開昭６０−２０７２１３号公報（第２図）
【発明の概要】
【発明が解決しようとする課題】
【０００６】
ところで、前述したような昇降式の照明装置において、照明器具の昇降にバランスウェイトを用いる場合がある。このようなバランスウェイトを用いた場合、ポールに強風や地震等の外力が作用してポールが揺れたりたわみが生じたりすると、バランスウェイトが揺れてケーブルにストレスがかかり、ケーブルが外れる場合がある。このような状態で照明器具を昇降させると、ケーブルが滑車に絡まって昇降できなくなるおそれがあるという問題があった。
【０００７】
本発明は、従来の問題を解決するためになされたもので、ポールに外力が作用しても、バランスウェイトの揺れを制限でき、灯具を確実に昇降できる照明装置を提供することを目的とする。
【課題を解決するための手段】
【０００８】
本発明の照明装置は、中空のポールと、灯具を有するとともにポールの外周面に沿って昇降可能な昇降部と、ポールの内部に配策され、一端がポールの上端部から外部に引き出されて昇降部に取り付けられる昇降ワイヤおよび電源ケーブルと、ポールの内部に昇降可能に設けられ、昇降ワイヤの他端が接続されて昇降部を昇降させるバランスウェイトと、を有し、ポール内部に、上端および下端が固定されたガイドワイヤを設けるとともに、バランスウェイトの外周面にガイドワイヤが挿通するガイド部を設けたものである。
【０００９】
また、本発明の照明装置は、ガイド部が、リングであるものである。
【発明の効果】
【００１０】
本発明は、ポール内部に上端および下端が固定されたガイドワイヤを設け、バランスウェイトの外周面にガイドワイヤに沿って移動するガイド部を設けたことにより、バランスウェイトの外周面に設けられているガイド部がガイドワイヤに沿って移動する。このため、ポールに外力が作用しても、バランスウェイトの揺れを制限でき、灯具を確実に昇降できるという効果を有する照明装置を提供できる。
【図面の簡単な説明】
【００１１】
【図１】（Ａ）は本発明に係る実施形態の照明装置において灯具を上昇させた状態の正面図であり、（Ｂ）は実施形態の照明装置において灯具を上昇させた状態の側面図
【図２】（Ａ）は基台部の斜視図であり、（Ｂ）は（Ａ）中Ｂ−Ｂ方向から見た拡大平面図
【図３】（Ａ）はガイドワイヤの上端固定構造および下端固定構造を示す断面図であり、（Ｂ）は（Ａ）中Ｂ−Ｂ位置の断面図であり、（Ｃ）はガイドワイヤの上端固定構造を示す拡大図
【図４】（Ａ）はガイドワイヤにガイドされるバランスウェイトの正面図であり、（Ｂ）はガイドリングの平面図
【図５】上端部および下端部におけるポールの断面図
【図６】（Ａ）〜（Ｄ）はガイド部材の例を示す斜視図
【図７】電源ケーブルの固定状態を示す斜視図
【図８】（Ａ）は灯具を下降させた状態の照明装置の正面図であり、（Ｂ）は灯具を下降させた状態の照明装置の側面図
【図９】従来の昇降式の照明装置の斜視図
【発明を実施するための形態】
【００１２】
以下、本発明に係る実施形態の照明装置について、図面を用いて説明する。
図１に示すように、本発明に係る実施形態の照明装置１０は、中空のポール２０を有しており、ポール２０の外側には、光源を有する灯具３２が取り付けられるリング状の昇降部３０が、ポール２０に沿って昇降可能に設けられる。
なお、ポール２０は、下端部２０Ａの径が上端部２０Ｂの径よりも大きく、若干のテーパがついている。
【００１３】
昇降部３０の外周面には、例えば４等分する位置に架台３１が外向きに突出して設けられており、各架台３１の先端には、光源（図示省略）を交換可能に収容する灯具３２が取り付けられている。
なお、昇降部３０を８等分する位置に架台３１を８台設けると、灯具３２を８台設けることができる。また、昇降部３０の上部および下部に架台３１を設けるようにすると、１６台の灯具３２を設けることができる。昇降部３０は円形のリングに限らず、正多角形のリング状とすることができる。例えば、正八角形の昇降部３０を設けて、各面に架台３１を設けることができる。
【００１４】
図２（Ａ）に示すように、ポール２０の上端には基台部２１が取り付けられている。基台部２１は、ポール２０の上端に固定される円板状の底板２１１と、複数本の支柱２１３を介して底板２１１の上方に取り付けられる円板状の天板２１２を有する。天板２１２の下面には、一対の基台用滑車２１４，２１４が吊り下げられており、各基台用滑車２１４は、電源ケーブル用滑車２１４Ａと昇降ワイヤ用滑車２１４Ｂとを有する。
【００１５】
図２（Ｂ）に示すように、底板２１１の上面には、後述する電源ケーブル２２用の誘導滑車２１５が設けられており、電源ケーブル２２の位置を、ポール２０の中心ＣＰとポール２０の内面２０１との間で移動する。誘導滑車２１５の内側（ポール２０の中心ＣＰ側）端部の真下の底板２１１には、電源ケーブル用貫通穴２１８が設けられており、誘導滑車２１５の外側（ポール２０の内面２０１側）端部の真下の底板２１１には、電源ケーブル用貫通穴２１９が設けられている。
【００１６】
また、底板２１１の外周縁で底板２１１の中心ＣＰに対して略点対称位置には、切欠２１６，２１６が設けられており、中央部には一対の貫通穴２１７，２１７が設けられている。切欠２１６は、基台用滑車２１４の一方の端部（外側）の真下に位置し、貫通穴２１７は、基台用滑車２１４の他方の端部（内側）の真下に位置する。
【００１７】
図３に示すように、ポール２０の内部には、後述するバランスウェイト２３を昇降可能にガイドするために一対のガイドワイヤ２４，２４が、ポール中心ＣＰに対して対称位置に取り付けられている。
図３（Ａ）に示すように、ポール２０の内面２０１上部には上取付台２４１が取り付けられており、上取付台２４１にはガイドワイヤ２４の上端部を固定するための全体Ｌ字形状の上固定金具２４３がネジ２４２で取り付けられる。同様に、ポール２０の内面２０１下部には下取付台２４４が取り付けられており、下取付台２４４にはガイドワイヤ２４の下端部を固定するための全体Ｌ字形状の下固定金具２４５がネジ２４６で取り付けられる。
【００１８】
なお、ポール２０の下端部２０Ａと上端部２０Ｂとで内径が異なるため、一対のガイドワイヤ２４を等間隔で鉛直に配策するためには、ポール２０の内面２０１からの距離を調整する必要がある。例えば、下取付台２４４および上取付台２４１の厚さを変えることにより調整して、下固定金具２４５および上固定金具２４３を共通の部品とすることができる。あるいは、下固定金具２４５および上固定金具２４３の水平方向突出量を変えることにより、調整することもできる。
【００１９】
上固定金具２４３と下固定金具２４５の間には、ガイドワイヤ２４が取り付けられる。図３（Ｃ）には、ガイドワイヤ２４の上端部の取付構造が示されている。なお、ガイドワイヤ２４の下端部の取付構造も同様なので、上端部の取付構造について説明する。
ガイドワイヤ２４の上端部は、上固定金具２４３に設けられている貫通穴２４７を上向きに貫通し、ベアリング２４８を介してダブルナット２４９，２５１で固定されている。そして、ガイドワイヤ２４の先端に貫通穴を設けて、割ピン２５２が取り付けられる。
これにより、ガイドワイヤ２４が上固定金具２４３から脱落するのを確実に防止している。なお、ガイドワイヤ２４は所定の張力が作用した状態で取り付けて、撓まないようにする。
【００２０】
図１および図４に示すように、ポール２０の内部には、バランスウェイト２３が昇降可能に設けられている。バランスウェイト２３は円柱形状をしており、中心に対して点対称の外周面に少なくとも一対のガイド部２６が設けられている。ガイド部２６としては、図６（Ａ）に示すような円形リング２６Ａ、図６（Ｂ）に示すような半楕円金具２６Ｂ、図６（Ｃ）に示すような四角形金具２６Ｃ、図６（Ｄ）に示すような半円金具２６Ｄを例示できる。図４（Ｂ）には、円形リング２６Ａの平面図が示されている。円形リング２６Ａは、ガイド部２６の内部空間２６１はガイドワイヤ２４の外形よりも大きなものであり、ガイドワイヤ２４を通したときに、クリアランス２６２が確保できる大きさが必要である。
【００２１】
なお、図６（Ａ）に示す円形リング２６Ａのように閉じた断面形状を有する場合には、ガイドワイヤ２４をポール２０の内面２０１に取り付ける前に、ガイドワイヤ２４を円形リング２６Ａの内部空間２６１に通しておく。
一方、図６（Ｂ）〜（Ｄ）のガイド部２６は、既に張設されたガイドワイヤ２４を跨ぐようにして、後から取り付けることができる。
【００２２】
図４および図５に示すように、バランスウェイト２３の上面には、動滑車２７が設けられている。動滑車２７は、一対の昇降ワイヤ用滑車２７１，２７１と、一対の電源ケーブル用滑車２７２，２７２とを有する。ここでは、後述する昇降ワイヤ２８および電源ケーブル２２を２系統設ける場合を示している。
【００２３】
図１（Ａ）に示すように、バランスウェイト２３の下面にはチェーン４１の一端が接続されており、減速機付きモータ４０によって駆動される駆動スプロケット４２およびスプロケット４３を介して上方へ配策される。そして、チェーン４１は、基台部２１の底板２１１の下面に設けられているスプロケット４４を介して下方へ配策されて、他端がバランスウェイト２３の上部に固定されている。これにより、チェーン４１は、バランスウェイト２３の上面および下面に取り付けられて、閉じた状態となる。
【００２４】
次に、昇降部３０を昇降させるための昇降ワイヤ２８および灯具３２に点灯電力を供給する電源ケーブル２２の配策について説明する。
図１（Ｂ）に示すように、昇降ワイヤ２８は２系統設けられており、昇降部３０における中心に対して点対称の位置に取り付けている。これにより、昇降部３０を水平に保持した状態で昇降できるようにしている。
なお、以下の説明において、２系統を区別する場合には、「昇降ワイヤ２８Ａ」および「昇降ワイヤ２８Ｂ」と記載し、共通する場合には「昇降ワイヤ２８」と記載する。
【００２５】
一方の昇降ワイヤ２８Ａの一端２８１Ａは、ポール２０の上端部である基台部２１から外部に引き出されて、昇降部３０に取り付けられる。また、他方の昇降ワイヤ２８Ｂの一端２８１Ｂは、ポール２０の上端部である基台部２１から外部に引き出されて、昇降部３０の点対称位置に取り付けられる。
【００２６】
そして、架台３１からの昇降ワイヤ２８は、基台部２１の底板２１１の切欠２１６を上向きに通過し、天板２１２に取り付けられた基台用滑車２１４の昇降ワイヤ用滑車２１４Ｂ（図２参照）を通って、ポール２０の中心ＣＰ付近を下方へ向かって基台部２１の底板２１１の貫通穴２１７を貫通する。さらに下方へ配策されて、バランスウェイト２３の動滑車２７の昇降ワイヤ用滑車２７１を通って上方へ配策され、他端は基台部２１の底板２１１の下面に固定される。
【００２７】
電源ケーブル２２は１系統あればいいので、ここでは、１系統設けた場合について説明する。電源ケーブル２２の一端２２１は、ポール２０の上端部である基台部２１から外部に引き出されて、昇降部３０の架台３１に取り付けられた灯具３２に接続される。
そして、架台３１からの電源ケーブル２２は、基台部２１の底板２１１の切欠２１６を通って天板２１２に取り付けられた基台用滑車２１４の電源ケーブル用滑車２１４Ａを通り、ポール２０の中心ＣＰ付近を下方へ向かって基台部２１の底板２１１の貫通穴２１７を貫通する。
【００２８】
電源ケーブル２２はさらに下方へ配策されて、バランスウェイト２３の動滑車２７の電源ケーブル用滑車２７２を通って上方へ配策され、基台部２１の底板２１１の電源ケーブル用貫通穴２１８を貫通して誘導滑車２１５に導入される。さらに、電源ケーブル用貫通穴２１９を通って、ポール２０の内面２０１の近傍に移動する。そして、内面２０１に沿って下方へ配策され、他端２２２は、ポール２０の点検用開口部２０２の近傍で、ポール２０の内面２０１に固定される。
【００２９】
図７に示すように、電源ケーブル２２の他端２２２は、３個の固定金具２２３によってポール２０の内面２０１に固定されており、上下方向への移動を確実に規制している。そして、電源ケーブル２２はさらに下方へ伸びて、地中に配線されている電源線（図示省略）に接続される。
【００３０】
次に、図１および図８に基づいて、昇降部３０の昇降動作について説明する。
図１に示すように、昇降部３０が上端に位置する状態から、メンテナンス時等において昇降部３０を下降させるには、減速機付きモータ４０により駆動スプロケット４２を回転駆動し、チェーン４１を図１（Ａ）中矢印Ａ方向（図１（Ａ）において半時針方向）へ回転走行させる。これにより、基台部２１の底板２１１に取り付けられているスプロケット４４を介してチェーン４１が取り付けられているバランスウェイト２３が引き上げられて上昇する。
このとき、バランスウェイト２３のガイド部２６がガイドワイヤ２４に沿って移動するので、バランスウェイト２３は揺れずに上昇する。
【００３１】
バランスウェイト２３が上昇すると、同時に動滑車２７が上昇するので、他端が基台部２１の底板２１１に固定され動滑車２７を通過している昇降ワイヤ２８は、一端２８１（２８１Ａ、２８１Ｂ）側に移動する。これに伴い、基台用滑車２１４によって下方に導かれている昇降ワイヤ２８は下方へ移動し、昇降部３０を自重により下降させる。
また、電源ケーブル２２は、ポール２０の下部において固定され、上方へ配策されて基台部２１の底板２１１上面に取り付けられている誘導滑車２１５を介して動滑車２７に導かれているので、昇降ワイヤ２８と同様の挙動をする。
【００３２】
図８に示す下降位置から昇降部３０を上昇させる際には、減速機付きモータ４０により駆動スプロケット４２を回転駆動し、チェーン４１を図８（Ａ）中矢印Ａ方向（図８（Ａ）において時針方向）へ回転走行させる。これにより、基台部２１の底板２１１に取り付けられているスプロケット４４を介してバランスウェイト２３に取り付けられているチェーン４１が緩んで、バランスウェイト２３は自重で下降する。
【００３３】
バランスウェイト２３が下降すると、同時に動滑車２７が下降するので、他端が基台部２１の底板２１１に固定され動滑車２７を通過している昇降ワイヤ２８は、一端２８１側が引っ張られる。これに伴い、基台用滑車２１４によって下方に導かれている昇降ワイヤ２８は上方へ移動し、昇降部３０を上昇させる。
なお、電源ケーブル２２は、昇降ワイヤ２８と同様の挙動をする。
【００３４】
以上、説明した本発明に係る実施形態の照明装置１０によれば、ポール２０内部のバランスウェイト２３を昇降させることにより、昇降ワイヤ２８および電源ケーブル２２を移動させて、灯具３２を搭載した昇降部３０をポール２０に沿って昇降させる。このとき、バランスウェイト２３の外周面に設けられているガイド部２６が、ポール２０内部に上端および下端が固定された一対のガイドワイヤ２４に沿って移動するので、常時のみならず、地震等の外力が作用した場合でも、バランスウェイト２３の揺れを制限でき、昇降部３０を確実に昇降できる。
【００３５】
また、バランスウェイト２３の外周面に、ガイド部２６として円形リング２６Ａを設けたので、円形リング２６Ａはガイドワイヤ２４に沿って移動可能にバランスウェイト２３を支持し、バランスウェイト２３の揺れを制限できる。
【００３６】
また、昇降部３０の昇降用にバランスウェイト２３を設けたので、昇降部３０の上昇時に必要な力を小さくすることができる。また、バランスウェイト２３に動滑車２７を取り付けて昇降ワイヤ２８を配策したので、バランスウェイト２３の移動量に比して、昇降部３０の昇降移動量を大きく採ることができる。
【００３７】
なお、本発明の照明装置は、前述した実施形態に限定されるものでなく、適宜な変形，改良等が可能である。
例えば、前述した実施形態において、ポール２０として円形断面を有するものを例示したが、本発明はその他の断面形状を有するポールにも適用可能である。また、昇降部３０の断面形状も、円形に限定するものではなく、その他の例えば正多角形とすることもできる。
また、前述した実施形態においては、電源ケーブル２２を１系統、昇降ワイヤ２８を２系統設けた場合について説明したが、電源ケーブル２２を２系統設けることもできる。
【符号の説明】
【００３８】
１０  照明装置
２０  ポール
２２  電源ケーブル
２３  バランスウェイト
２４  ガイドワイヤ
２６  ガイド部
２６Ａ  円形リング（リング）
２８  昇降ワイヤ
２８１Ａ、２８１Ｂ  一端
２２２  他端
３０  昇降部
３２  灯具
【図１】
2012009222.tif 000003
【図２】
2012009222.tif 000004
【図３】
2012009222.tif 000005
【図４】
2012009222.tif 000006
【図５】
2012009222.tif 000007
【図６】
2012009222.tif 000008
【図７】
2012009222.tif 000009
【図８】
2012009222.tif 000010
【図９】
2012009222.tif 000011